(57)【要約】【課題】常装着型入力システムは、常に身体に装着しなければコミュニケーションが図れず、またポータブル対話装置はかなりの重量となり、使用者に負担であった。【解決手段】筐体２を握持する使用者のそれぞれの指があたる位置にて筐体に対して複数のキー３，４，５，６を進退動可能に筐体に配設し、指の動きに応動したキーの移動に従って電位を発生させるキー電位発生器１０と、発生電位を送信コード信号に変換するコード回路４１と、受信コード信号をキー移動の電位に変換するアンコード回路４２と、アンコード回路からの変換電位によってキーを移動させるキー駆動発生器１０と、コード化信号を送受信する送受信器１０とを具備した通信端末装置の構成とした。これにより、何らかの障害を持つ人とその他の人に対し、持ち運びを容易にし、しかも容易かつ正確にコミュニケーションを図れることを可能とした。【選択図】図１
2006244436.tif 000002
【特許請求の範囲】
【請求項１】
筐体と、該筐体を握持する使用者のそれぞれの指があたる位置にて前記筐体に対して進退動可能に前記筐体に配設された複数のキーと、前記使用者の指の動きに応動した前記キーの移動に従って電位を発生させるキー電位発生器と、発生した電位を送信コード信号に変換するコード回路と、受信したコード信号を前記キーを移動させる電位に変換するアンコード回路と、前記アンコード回路からの変換電位によって前記キーを移動させるキー駆動発生器と、コード化された信号を送受信する送受信器とからなることを特徴とする通信端末装置。
【請求項２】
前記キー電位発生器および前記キー駆動発生器を一体的に成し、前記キーに固定した可動軸と、該可動軸に固定した磁石と、該磁石に対向させて設けた少なくとも２つの相互に逆方向巻きの励磁コイルであって単一コイルによって成した励磁コイルを具備することを特徴とする請求項１記載の通信端末装置。
【請求項３】
少なくとも一対のクリックスイッチと、スクロール機能スイッチとを具備したことを特徴とする請求項１または２記載の通信端末装置。
【請求項４】
前記筐体を使用者が片手で握持できる形状と成したことを特徴とする請求項１ないし３記載のいずれか１項記載の通信端末装置。
【請求項５】
使用者が片手で握持できる形状と成した前記筐体２個を一対と成し、これらを有線または無線にて接続して一体化したことを特徴とする請求項４記載の通信端末装置。
【発明の詳細な説明】
【技術分野】
【０００１】  本発明は、特に盲ろう者などの何らかの障害を持つ人とその他の人とのコミュニケーションを可能にした通信端末装置に関する。
【背景技術】
【０００２】  従来、盲ろう者を含めた目の不自由な人と周囲の人とのコミュニケーションを図るツールとして、指に装着し、常に携帯することによってメニュー選択や文字入力などの入力を、いつでもどこでもすぐに入力できる常装着型入力システム（例えば、特許文献１および２）および盲ろう者と周囲の人との間のポータブル対話装置（例えば、特許文献３）が知られている。【０００３】  従来の常装着型入力システムの一例を、図１５に基づき説明する。
図１５に示すように、使用者の左手２０１の各指２０１ａ，２０１ｂ，２０１ｃ，２０１ｄ，２０１ｅに指輪型センサモジュール２０２，２０３，２０４，２０５，２０６を嵌め、かつ左手２０１の手首に腕時計型バンド２０７を着け、さらに携帯型情報処理機２０８を、使用者が持つ必要があった。指輪型センサモジュール２０２ないし２０６の内部にはそれぞれ、図示を省略した衝撃センサ、信号増幅器、光信号発振部が実装されている。また、腕時計方バンド２０７の内部には、図示を省略した光受信部、解析部および微弱電波送信器が組み込まれている。【０００４】  各々の指に装着されたセンサモジュール２０２〜２０６内の衝撃センサは、各々の指が、床や壁・大腿部などの支持面を指先で叩いた（以下、打ち指という）ときに発生する衝撃を検出するようになっている。検出された衝撃信号は、信号増幅器で周波数弁別および初期増幅が行われた後、光信号発信部によって光パルスとして発信される。光パルスは、腕時計型バンド２０７内の光受信部で受光され、受光信号はバンド内１０６の解析部に入力され、出力文字コードを決定する。出力文字コードは、微弱電波送信器を通じて、内部に無線受信部を持つ携帯型情報処理機２０８に送られ、この処理機にて処理され入力情報が決定されるようになっている。【０００５】  また従来のポータブル対話装置の一例を、図１６ないし図１８に基づき説明する。この対話装置は、図１６に示すように、盲ろう者が点字入力を行いそして点字触知をするための第１の操作ユニット３００と、図１７に示すように介助者が可視文字列の入力および判読を行うための第２の操作ユニット３１０と、図１８に示すように、これら第１および第２の操作ユニットを電気的および／または電子的に結合する連係装置３２０と、を備えた可搬式装置である。連係装置３２０は、制御・記憶部３２１を備え、基本的には通常のワードプロフェッサーまたはパーソナルコンピュータの主要部と同様な構成を有する。すなわち連係装置３２０は、第１の操作ユニット３００と組み込まれるか、または第２の操作ユニット３１０に組み込まれる。【０００６】  この装置は、第１の操作ユニット３００からの点字入力キーボード３０１のキー操作に応じてピンディスプレイ３０２に点字を形成し音声を出力するとともに、第２の操作ユニット３１０のディスプレイ３１１上に対応する可視文字入力キーボード３１２の操作に応じてディスプレイ３１１上に可視文字列を表示するとともに、前記第１の操作ユニット３００のピンディスプレイ３０２上に対応する点字列を形成し、両者間の対話を可能にする。【０００７】
【特許文献１】特許第２６９８３２０号公報
【特許文献２】特開２０００−３２１９７１号公報
【特許文献３】特開２００１−７５４７３号公報
【発明の開示】
【発明が解決しようとする課題】
【０００８】  上述の常装着型入力システム（例えば、特許文献１および２）およびポータブル対話装置（例えば、特許文献３）において、常装着型入力システムの場合、システムを構成する装置を常に身体に装着しなければコミュニケーションが図れず、この装着が盲ろう者に限らず健常者においても身体的違和感を伴わせるというおそれがある。またポータブル対話装置の場合、連係装置が第１の操作ユニットまたは第２の操作ユニットに組み込まれるので、ポータブルといってもかなりの重量となり、使用者にはかなりの肉体的負担となるおそれがある。【０００９】  本発明は、このような従来の構成が有していた問題を解決しようとするものであり、特に盲ろう者などの何らかの障害を持つ人とその他の人が、持ち運びが容易であって、しかも容易かつ正確にコミュニケーションを図れる通信端末装置を提供することを目的とする。
【課題を解決するための手段】
【００１０】  本発明は、上記目的を達成するために、筐体と、該筐体を握持する使用者のそれぞれの指があたる位置にて上記筐体に対して進退動可能に上記筐体に配設された複数のキーと、上記使用者の指の動きに応動した上記キーの移動に従って電位を発生させるキー電位発生器と、発生した電位を送信コード信号に変換するコード回路と、受信したコード信号を上記キーを移動させる電位に変換するアンコード回路と、上記アンコード回路からの変換電位によって上記キーを移動させるキー駆動発生器と、コード化された信号を送受信する送受信器とからなる通信端末装置である。【００１１】  また、第２の課題解決手段は、上記キー電位発生器および上記キー駆動発生器を一体的に成し、上記キーに固定した可動軸と、該可動軸に固定した磁石と、該磁石に対向させて設けた少なくとも２つの相互に逆方向巻きの励磁コイルであって単一コイルによって成した励磁コイルを具備するものである。【００１２】  第３の課題解決手段は、少なくとも一対のクリックスイッチと、スクロール機能スイッチとを具備したものである。【００１３】  さらに、第４の課題解決手段は、前記筐体を使用者が片手で握持できる形状と成したものである。【００１４】  第５の課題解決手段は、使用者が片手で握持できる形状と成した前記筐体２個を一対と成し、これらを有線または無線にて接続して一体化したものである。【００１５】  上記第１の課題解決手段による作用は、次の通りである。すなわち、持ち運び容易な端末装置の送信器にて、キーの移動に応じたコード化信号を発信し、一方、有線または無線に形で同端末装置の受信器にてコード化された信号を受信して端末装置のキーを移動させるようにしたので、これらコードを言語たとえば点字に対応させれば、容易かつ正確に、この端末装置を持つ盲ろう者を含めた何らかの障害を持つ人と、他のこの端末装置を持つ周囲の人とのコミュニケーションを図ることができる。また、この通信端末装置を障害を持つ人が持ち、他方、同じまたは同様な通信端末装置をその周りの人が持ち、双方にて信号のやり取りを行ってコミュニケーションを図ることはもちろんのこと、これら通信端末装置をパソコンを介して信号のやり取りを行い、パソコンのディスプレイに文字出力や音声出力をするようにしてもよいことはもちろんのことである。【００１６】  また第２の課題解決手段による作用は、励磁コイルをリニア型とすることによって、効率よく起電力を発生させる一方、電位を印加ことによりキーに駆動力を発生させることができる。【００１７】  第３の課題解決手段による作用は、少なくとも一対のクリックスイッチにより文字入力を決定または解除することができ、また文字を読み込むためのスクロール機能スイッチにより文字の入力と出力を可能とすることができる。【００１８】  第４の課題解決手段による作用は、片手入力でも可能とすることにより、片手しか使えない人またはもう片方の手で何かを作業しながら入力することを可能とする。【００１９】  さらに、第５の課題解決手段による作用は、６点からなる点字入力をより可能とする。
【発明の効果】
【００２０】  上述したような本発明に係る通信端末装置は、特に盲ろう者などの何らかの障害を持つ人とその周りの人が、持ち運びが容易であって、しかも容易かつ正確にコミュニケーションを図れる通信端末装置を提供できる。
【発明を実施するための最良の形態】
【００２１】  以下、本発明に係る通信端末装置の実施の形態を、図１ないし図１４に基づいて説明する。
この実施の形態に係る通信端末装置は、左右の一対の通信端末機１，１００からなる。図１に示した右手用通信端末機１と図２に示した左手用通信端末機１００とは、右、左の差はあるが、基本的構成は同様であるので、以後では、右手用通信端末機１を説明するのと同時にその構成要素の符号にかっこ書きで左手用通信端末機の同じ構成要素の符合を併記し，左手用通信端末機１００の各構成要素の説明を省略する。【００２２】  通信端末機１（１０１）は、筐体２（１０２）と、この筐体２（１０２）を握持する使用者のそれぞれの指があたる位置にて筐体に対して出没動可能に配設された４個のキー３（１０３），４（１０４），５（１０５），６（１０６）とを具備している。この筐体２（１０２）の形は、使用者が握りやすく、かつ使用者が筐体を握った状態にて人指指、中指、薬指、小指があたるよう、４個のキーをそれぞれ配設している。【００２３】  これらキーのそれぞれには、図３および図４に示すように、使用者のそれぞれの指の動きに応動したキーの移動に従って電位を発生させるキー電位発生器１０（１１０）が設けてある。このキー電位発生器１０（１１０）はまた、後述するアンコード回路からの変換電位によってこのキーを移動させるキー駆動発生器を兼ねている。【００２４】  キー電位発生器１０（１１０）は、例えばキー３（１０３）に接続したものにつき説明すると、図３ないし図５に示すように、キーに固定した可動軸１１（１１１）と、可動軸１１（１１１）に装着した磁石１２（１１２）と、この磁石に対向させて設けた２つの相互に逆方向巻きの励磁コイル１３（１１３）を筒状ボビン１４（１１４）に巻回して設けており、磁石１２（１１２）を筐体２（１０２）に対し出没方向に付勢するため、コイルばね１５（１１５），１６（１１６）を設けている。ボビン１４（１１４）の両端には、コイルばね１５（１１５），１６（１１６）のそれぞれの遊端部を受け止める外側受け部１７（１１７）と内側受け部１８（１１８）とを設けている。図５中、１３ａ（１１３ａ）は右巻き励磁コイル、１３ｂ（１１３ｂ）は左巻き励磁コイル、９（１０９）は電極端子を示す。【００２５】  ボビン１４の外側には、外面にねじ溝を切った円筒状のカバー１９（１１９）が設けてある。このカバー１９（１１９）を筐体２（１０２）にねじ止めしているのが、外側固定ナット２０（１２０）と内側固定ナット２１（１２１）である。外側固定ナットを回転調整することにより、カバー１９（１１９）を筐体２（１０２）に対し出没動させて、使用者の手の大きさすなわち指の位置に合わせてキー３（１０３），４（１０４），５（１０５），６（１０６）の高さを調整できるようになっている。図３および図４にて、７，１０７は筐体２，１０２に設けた複数のタップ、８，１０８はリード線の固定ゴムである。【００２６】  キー駆動発生器を兼ねたキー電位発生器１０（１１０）の機能を、図６ないし図９に基づき、説明する。図６に示すように、キー３（１０３），４（１０４），５（１０５），６（１０６）に外力Ｆ１が加わると、磁石１２（１１２）は、コイルばね１６（１１６）に抗しつつ、図中、実線にて示した位置から二点鎖線にて示した位置へと筐体２（１０２）に��し没する方向へ移動する。このとき、電磁誘導の作用により励磁コイル１３（１１３）に、図中、矢印ａ方向に起電流すなわち信号電流が発生する。これら信号電流は、キーが押されたことを認識するため信号を規定する。図６中、Ｂ１，Ｂ２は矢印方向に向かう磁束線である。【００２７】  図７に示すように、没した位置から、このキーへの外力を外すと、磁石１２（１１２）は、コイルばね１６（１０６）の付勢力と相まって、図中、実線位置から二点鎖線にて示した位置へと、筐体２（１０２）に対して突出する方向へ力Ｆ１によって移動する。このとき、電磁誘導の作用により励磁コイル１３（１１３）に、図中、ｂ方向に起電流すなわち信号電流が発生する。これら信号電流は、上述のキー押し認識信号に続いて、どのキーが押されたのかを割り出すための信号である。上述の図７中、Ｂ３，Ｂ４は矢印方向に向かう磁束線である。【００２８】  一方、図８に示すように、励磁コイル１３（１１３）に図中、矢印ｂ方向に信号電流を通すと、電磁誘導の作用により磁石１２（１１２）は、コイルばね１６（１１６）に抗しつつ、図中、実線に示した突出位置から二点鎖線にて示した位置へと、筐体２（１０２）に対し没する方向へ力Ｆ１によって移動する。図８中、Ｂ３，Ｂ４は矢印方向に向かう磁束線である。【００２９】  さらに没した位置の磁石１２（１１２）に対し、図９に示すように、コイル１３（１１３）に図中、矢印ａ方向へ信号電流を通すと、電磁誘導の作用により磁石１２（１１２）は、コイルばね１６（１０６）の付勢力と相まって、図中、実線位置から二点鎖線にて示した位置へと、筐体２（１０２）に対して突出する方向へ力Ｆ２によって移動する。図９中、Ｂ１，Ｂ２は矢印方向に向かう磁束線である。【００３０】  図６および図７において、起電流発生の際、キー３（１０３），４（１０４），５（１０５），６（１０６）を早く押した場合の加圧エネルギーと、これらキーを離したときの復帰エネルギーとは同じであり、これらキーをゆっくり押した場合の加圧エネルギーと、これらキーを離したときの復帰エネルギーも同じであることが、図１０および図１１から理解できる。すなわち、図１０にて、起電力を縦軸、時間を横軸にとったとき、各キーを早く押す時間を２０ミリ秒（ＭＳ）とするとそのときの加圧エネルギーＳ１であり、これらキーを離したときの復帰エネルギーＳ２は加圧エネルギーＳ１と同じ大きさとなる。復帰に要した時間は１００ミリ秒（ＭＳ）であった。一方、起電力を縦軸、時間を横軸にとった図１１にて、各キーをゆっくり押す時間を５０ミリ秒（ＭＳ）とするとそのときの加圧エネルギーＳ３であり、これらキーを離したときの復帰エネルギーＳ４は加圧エネルギーＳ３と同じ大きさであった。復帰に要した時間は１００ミリ秒（ＭＳ）であった。【００３１】  キー電位発生器１０（１１０）にて発生した電流は、図３に示すように回路基板２２（１２２）に配設した入力アンプ回路２３（１２３），２４（１２４），２５（１２５），２６（１２６）にて増幅され、Ａ／Ｄ変換回路２７（１２７），２８（１２８），２９（１２９），３０（１３０）にてアナログ信号からデジタル信号へと変換されて、マイクロコンピュータであるＣＰＵ４０（���４０）へと入る。【００３２】  ＣＰＵ３１（１３１）は、変換されたデジタル信号を送信コードに変換するコード回路４１を具備するとともに、送受信器５０から受信したコード信号を、キー３（１０３），４（１０４），５（１０５），６（１０６）を駆動する電位に変換するアンコード回路４２（１４２）を具備している。【００３３】  コード回路４１は、信号を種々のコードに変換できるコード表テーブルを備えている。例えば図１３に一例を示すと、デジタル信号を日本語のひながなおよび各種記号に変換するコード表テーブルを備えている。左右８個のキー３，４，５，６，１０３，１０４，１０５，１０６の組み合わせで２８６種類の信号を作ることが可能で、従来のキーボードの信号を全て賄う。文字は、キー３，４，５，１０３，１０４，１０５の組み合わせの指点字で、１６進法表示により６４種類を表現できる。またキー６，１０６とキー３，４，５，１０３，１０４，１０５の指点字の組み合わせにより２５６種類の文字を含めた命令や記号が表現できる。【００３４】  文字部は１６進法表示され、図１３中、縦軸は左手キー１０３，１０４，１０５，１０６での組み合わせ、横軸は右手キー３，４，５，６での組み合わせを示している。左手キー１０３は縦軸の１６進法での１を示し、キー１０４は１６進法で２、３を示し、キー１０５は１６進法での４〜７を示す。同様に右手キー３は、１６進法での１を示し、キー４は１６進法での２，３を、キー５は１６進法での４〜７を示す。一番下の左手キー１０６はキーボードにてのＳｈｉｆｔ（シフト）キーの機能を果たし、右手キー６はキーボードにてのＡｌｔ（変換）キーの機能を果たす。したがって、図１３中、Ｓｈｉｆｔキーが記載してある左下の空白部分は、英語ほか外国語の小文字を表示する配列となり、Ａｌｔキーが記載してある右上の空白部分は、キーボードでのＭｅｎｕ（メニュ）キーを表示する配列となる。Ｃｔｒｌ（コントロール）キーが記載してある図１３の右下の空白部分はキーボードでのＦｕｎｃｔｉｏｎ（ファンクション）キーを表示する配列となる。【００３５】  また例えば図１４に示した例に従えば、デジタル信号を英語のアルファベットの大文字および各種記号に変換するコード表テーブルを備えている。左右８個のキー３，４，５，６，１０３，１０４，１０５，１０６の組み合わせで２８６種類の信号を作ること、また文字はキー３，４，５，１０３，１０４，１０５の組み合わせの指点字で、１６進法表示により６４種類を表現できること、またキー６，１０６とキー３，４，５，１０３，１０４，１０５の指点字の組み合わせにより２５６種類の文字を含めた命令や記号が表現できることは、図１３の場合と同様である。【００３６】  図１４中、Ｓｈｉｆｔ（シフト）キーが記載してある左下の空白部分は、英語のアルファベットの小文字を表示する配列となり、Ａｌｔ（変換）キーが記載してある右上の空白部分は、キーボードにてのＭｅｎｕ（メニュ）キーを表示する配列となる。Ｃｔｒｌ（コントロール）キーが記載してある図１４の右下の空白部分は、キーボードにてのＦｕｎｃｔｉｏｎ（ファンクション）キーを表示する配列となる。【００３７】  アンコード回路４２（１４２）もまた、���ード回路４１（１４１）と同様なテーブルを具備しているが、丁度コード回路４１（１４１）とは逆となり、日本語のひらがなまたは英語のアルファベットなどの信号をデジタル信号に変換することとなる。【００３８】  送受信器５０（１５０）は、双方向通信可能な受信回路５１（１５１）と、赤外ＬＥＤ，ＦＭモジュレータなどを備えた発信回路５２（１５２）とを具備している。この送受信器５０にアンテナ６０（１６０）が電気的に接続している。
なお、図示例では、アンテナとして赤外線ポートの例を示しているが、アンテナを介さずに、その信号はリード線を経由して、直接、ＵＳＢポートからパソコンまたは他方の端末機に接続してもよいし、また図１または図２の端末機を１対として使用する場合は、リード線６８、１６８を介して信号を双方向に送受信してもよい。【００３９】  ＣＰＵ４０（１４０）に、受信したデジタル信号をアナログ信号に変換するＤ／Ａ変換回路３１（１３１），３２（１３２），３３（１３３），３４（１３４）が接続し、さらにこれらＤ／Ａ変換回路にそれぞれリニア出力アンプ回路３５（１３５），３６（１３６），３７（１３７），３８（１３８）が接続し、これらリニア出力アンプ回路はキー電位発生器を兼ねたキー駆動回路１０（１１０）のそれぞれに接続している。【００４０】  ＣＰＵ４０（１４０）にはまた、マウスまたはポインティング入力装置にての右クリックスイッチボタンを操作する右クリックスイッチ操作回路６１（１６１）、マウスまたはポインティング入力装置での左クリックスイッチボタンを操作する左クリックスイッチ操作回路６２（１６２）、およびマウスまたはポインティング入力装置にてのスクロールスイッチダイアル・クリックスイッチボタンを操作するスクロール操作回路６２（１６２）がそれぞれ接続している。図１および図３に、右クリックスイッチボタン６４、左クリックスイッチボタン６５、スクロールスイッチダイアル６６、およびクリックスイッチボタン６７が示され、図２および図４に、右クリックスイッチボタン１６４、左クリックスイッチボタン１６５、スクロールスイッチダイアル１６６、およびクリックスイッチボタン１６７が示されている。
右クリックスイッチボタン６４および１６４、左クリックスイッチボタン６５および１６５、ならびにクリックスイッチボタン６７および１６７は、クリックされることにより、スイッチをＯＮにして対応する電気信号を出力する。
スクロールスイッチダイアル６６および１６６は、図中、時計方向および逆時計方向に回転させることにより動作し、回転方向に対応した電気信号を出力する。【００４１】  次に、上述の実施の態様につき、その動作を説明する。
ある操作者がその手によってキー３，４，５，６，１０３，１０４，１０５，１０６のいずれかを押して離すと、それぞれのキーに対応したキー電位発生器１０，１１０の可動軸１１，１１１上の磁石１２，１１２が励磁コイル１３，１１３の中を振動して、励磁コイルに電位が発生する。【００４２】  この電位の変化は、アナログ信号として、入力アンプ回路２３，２４，２５，２６，１２３，１２４，１２５，１２６によって増幅され、Ａ／Ｄ変換回路２７，２８，２９，３０，１２７，１２８，１２９，１３０によりあらかじめ設定された電圧の入力レンジの範囲内において必要な解像度でデジタル信号として採取され、ＣＰＵ４０，１４０に送られる。ＣＰＵ４０，１４０内のコード回路４１，１４１は、キーの押された個所から図１３または図１４に示したコード表テーブルに従い、指点字に従った文字のコード信号を送受信器５０，１５０から発信する。その信号はリード線６８，１６８を経由してＵＳＢポートから図示を省略したパソコンまたは、他の操作者が持っている他方の通信端末機に有線接続されるか、アンテナ６０，１６０を通して無線接続される。パソコンは信号を受信して適切な文字、点字などを表示する。【００４３】  一方、パソコンおよび上記他の操作者から発信された文字や点字信号は、ＵＳＢポートかアンテナ６０，１６０およびを経由し送受信器５０，１５０を通してＣＰＵ４０，１４０へ送られる。ＣＰＵ４０，１４０のアンコード回路４２，１４２は、文字や点字信号に従いキーの振動の信号を発信し、Ｄ／Ａ変換回路３１，３２，３３，３４，１３１，１３２，１３３，１３４にてアナログ信号に変換し、リニア出力アンプ回路３５，３６，３７，３８，１３５，１３６，１３７，１３８によって信号を増幅し、それぞれのキーに接続したキー駆動発生器１０により対応するキーを適切に振動させて、筐体２，１０２に対し出没動させる。この場合の振動は、入力とは可逆の作用により入力の時と同じ発生電位を逆の方向で与えることにより入力時の指が押した同じ振動を得る。【００４４】  なお、通信端末機１，１０１を片手操作する場合は、キー３ないし６および１０３ないし１０６を２回の入力または２回の出力振動により認識させることによって上述のようなコミュニケーションを達成することができる。
【図面の簡単な説明】
【００４５】
【図１】本発明の実施の形態を示す右手用通信端末機の正面図
【図２】本発明の実施の形態を示す左手用通信端末機の正面図
【図３】図１の筐体の半分を取り除いた状態の右手用通信端末機の正面図
【図４】図２の筐体の半分を取り除いた状態の左手用通信端末機の正面図
【図５】キー駆動発生器を兼ねたキー電位発生器を示す断面図
【図６】キー電位発生器でのキーが押されたときの起電流発生を示す模式図
【図７】キー電位発生器でのキーが押された状態から復帰するときの起電流発生を示す模式図
【図８】キー駆動発生器でのキーを没動させる方向への電流の付与を示す模式図
【図９】キー駆動発生器でのキーを突出させる方向への電流の付与を示す模式図
【図１０】キー電位発生器でのキーを早く押したときの加圧エネルギーと復帰エネルギーを示すグラフ
【図１１】キー電位発生器でのキーを遅く押したときの加圧エネルギーと復帰エネルギーを示すグラフ
【図１２】図１および図２の通信端末機での回路基板の構成を示すブロック図
【図１３】信号を種々のコードに変換できるコード表の一例を示すテーブル
【図１４】信号を種々のコードに変換できるコード表の他の例を示すテーブル
【図１５】従来の常装着型入力システムを示す左手に装着した状態を示す斜視図
【図１６】従来のポータブル対話装置の点字入力用キーボードの構成を示す平面図
【図１７】従来のポータブル対話装置のディスプレイを示す平面図
【図１８】従来のポータブル対話装置の基本システム構成を示すブロック図
【符号の説明】
【００４６】１              右手用通信端末機
１０１          左手用通信端末機
２，１０２      筐体
３，４，５，６，１０３，１０４，１０５，１０６    キー
１０，１１０    キー駆動発生器を兼ねたキー電位発生器
１１，１１１    可動軸
１２，１１２    磁石
１３，１１３    励磁コイル
４０，１４０    ＣＰＵ
４１，１４１    コード回路
４２，１４２    アンコード回路
５０，１５０    送受信器
６０，１６０    アンテナ
６４，１６４    右クリックスイッチボタン
６５，１６５    左クリックスイッチボタン
６６，１６６    スクロールスイッチダイアル
６７，１６７    クリックスイッチボタン
【図１】
2006244436.tif 000003
【図２】
2006244436.tif 000004
【図３】
2006244436.tif 000005
【図４】
2006244436.tif 000006
【図５】
2006244436.tif 000007
【図６】
2006244436.tif 000008
【図７】
2006244436.tif 000009
【図８】
2006244436.tif 000010
【図９】
2006244436.tif 000011
【図１０】
2006244436.tif 000012
【図１１】
2006244436.tif 000013
【図１２】
2006244436.tif 000014
【図１３】
2006244436.tif 000015
【図１４】
2006244436.tif 000016
【図１５】
2006244436.tif 000017
【図１６】
2006244436.tif 000018
【図１７】
2006244436.tif 000019
【図１８】
2006244436.tif 000020